(57)【要約】【課題】従来、オゾン水を用いて洗浄と殺菌消毒を同時に実施しており、オゾンは人体に有害なことから閉鎖した洗浄槽の中で行わなければならず、人工的に手を加えて位置を変更させたり、頑固な汚れをブラシ等で人工的に落とすことが困難であった。【解決手段】本発明は、内視鏡１を洗浄した後に吸引操作部３ｂを挿入部側吸引兼処置具挿通チャンネル２ｂとユニバーサルコード側吸引チャンネル４ｃとを連通状態にしてコネクター６で閉蓋し、送気送水操作部３ａを開口させてオゾンガスを注入すると共に処置具挿通用口２ｅからオゾンガスを注入するものであり、更に、内視鏡４を保管庫１１の懸架台１１ａに切欠させた懸架部１１ｂを設けて夫々懸架させると共に、保管庫に内装したオゾン生成装置と送気送水操作部と処置具挿通用口とを送気チューブ１２で接続してオゾンガス注入して殺菌消毒を行う。【選択図】    図１
2004267715.tif 000002
【特許請求の範囲】
【請求項１】
可撓性を有しチューブ状の挿入部と、該挿入部の基端に配設された操作部と、該操作部から延設された可撓性を有しチューブ状のユニバーサルコードと、該ユニバーサルコードの先端に配設されたコネクター部と、前記操作部に設けた送気送水操作部に連通させて前記挿入部の先端に設けた送気送水ノズルに夫々接続させた挿入部側送気チャンネルと挿入部側送水チャンネルと、前記送気送水操作部に連通させて前記ユニバーサルコードに内装されコネクター部に延設されたユニバーサルコード側送気チャンネルとユニバーサルコード側送水チャンネルと、前記操作部に設けた吸引操作部に連通させて前記挿入部の先端に延設させた単数又は複数の挿入部側吸引兼処置具挿通チャンネルと、該単数又は複数の挿入部側吸引兼処置具挿通チャンネルに連通させて挿入部の胴周に開口させた単数又は複数の処置具挿通用口と、前記吸引操作部に連通させて前記ユニバーサルコードに内装されコネクター部に延設されたユニバーサルコード側吸引チャンネルとを備えた内視鏡において、前記内視鏡を洗浄した後に吸引操作部を単数又は複数の挿入部側吸引兼処置具挿通チャンネルとユニバーサルコード側吸引チャンネルとを連通状態にしてコネクターで閉蓋し、前記送気送水操作部を開口させてオゾンガスを注入すると共に単数又は複数の処置具挿通用口からオゾンガスを注入することを特徴とする内視鏡の殺菌消毒方法。
【請求項２】
前記内視鏡の操作部を保管庫の上方に横設した懸架台にＵ字状に切欠させた複数の懸架部を設けて夫々懸架させると共に、保管庫にオゾン生成装置とオゾン分解装置とを内装し、前記オゾン生成装置と前記送気送水操作部と前記単数又は複数の処置具挿通用口とを夫々送気チューブで接続してオゾンガス注入して殺菌消毒を行うことを特徴とする請求項１に記載の内視鏡の殺菌消毒方法。
【発明の詳細な説明】
【０００１】
【産業上の利用分野】
本発明は、内視鏡の殺菌消毒方法に関するものであり、更に詳細には、内視鏡に内装された各チャンネルをオゾンガスを流通させて殺菌消毒すると共に、オゾンガスを内視鏡を懸架させた保管庫内に排気させて殺菌消毒する方法に関するものである。
【０００２】
【従来技術】
近年、内視鏡を用いた検査や治療分野が急激に拡大して医療現場において広く活用されているが、検査や治療の増大と共に内視鏡による感染事故が頻繁に報告されるように成り、感染例の多くは内視鏡の不完全な殺菌消毒が要因であり、その為に、洗浄槽にオゾン水を注入して、オゾン水の中に内視鏡を含浸させて洗浄と共に殺菌消毒する方法（特許文献１参照）や、内視鏡のコネクター部に接続できるコネクター手段を用いて滅菌流体を供給して洗浄と共に殺菌消毒する方法（特許文献２参照）が開示されている。
【０００３】
【特許文献１】
特開２００２−３３６１９７号公報
【特許文献２】
特開２０００−５１３２９号公報
【０００４】
【解決しようとする課題】
然し乍ら、検査や治療に使用した後の内視鏡には体液や血液が付着しており洗浄と殺菌消毒が必要なもので、前述のオゾン水の中に内視鏡を含浸させて洗浄と共に殺菌消毒する方法も、内視鏡のコネクター部に接続できるコネクター手段を用いて滅菌流体を供給して洗浄と共に殺菌消毒する方法も、オゾン水を用いて洗浄と殺菌消毒を同時に実施するもので、オゾンは人体に有害なことから閉鎖した洗浄槽の中で行わなければならず、超音波振動を付与して洗浄する等の機械的手段のみで洗浄殺菌消毒を行い、人工的に手を加えて位置を変更させたり、頑固な汚れをブラシ等で人工的に落とすことが困難なものであった。
【０００５】
【課題を解決するための手段】
本発明は、前述の課題に鑑み、鋭意研鑽の結果、請求項１に記載の内視鏡の殺菌消毒方法は、チューブ状の挿入部と、挿入部の基端に配設された操作部と、操作部から延設されたチューブ状のユニバーサルコードと、ユニバーサルコードの先端に配設されたコネクター部と、操作部に設けた送気送水操作部に連通させて挿入部の先端に設けた送気送水ノズルに接続させた挿入部側送気チャンネルと挿入部側送水チャンネルと、送気送水操作部に連通させてユニバーサルコードに内装されコネクター部に延設されたユニバーサルコード側送気チャンネルとユニバーサルコード側送水チャンネルと、操作部に設けた吸引操作部に連通させて挿入部の先端に延設させた単数又は複数の挿入部側吸引兼処置具挿通チャンネルと、単数又は複数の挿入部側吸引兼処置具挿通チャンネルに連通させて挿入部の胴周に開口させた単数又は複数の処置具挿通用口と、吸引操作部に連通させてユニバーサルコードに内装されコネクター部に延設されたユニバーサルコード側吸引チャンネルとを備えた内視鏡において、内視鏡を洗浄した後に吸引操作部を単数又は複数の挿入部側吸引兼処置具挿通チャンネルとユニバーサルコード側吸引チャンネルとを連通状態にしてコネクターで閉蓋し、送気送水操作部を開口させてオゾンガスを注入すると共に単数又は複数の処置具挿通用口からオゾンガスを注入するものである。
【０００６】
更に、請求項２に記載の内視鏡の殺菌消毒方法は、請求項１に記載の内視鏡の殺菌消毒方法において、内視鏡の操作部を保管庫の上方に横設した懸架台にＵ字状に切欠させた複数の懸架部を設けて夫々懸架させると共に、保管庫にオゾン生成装置とオゾン分解装置とを内装し、オゾン生成装置と送気送水操作部と単数又は複数の処置具挿通用口とを夫々送気チューブで接続してオゾンガス注入して殺菌消毒を行うものである。
【０００７】
【発明の作用】
本発明の内視鏡の殺菌消毒方法は、洗浄後の内視鏡の吸引操作部をコネクターで閉蓋してオゾンガスを送気送水操作部と単数又は複数の処置具挿通用口とから注入するもので、送気送水操作部から注入することにより挿入部側送気チャンネルと挿入部側送水チャンネルとユニバーサルコード側送気チャンネルとユニバーサルコード側送水チャンネルとにオゾンガスを流通させることができ、単数又は複数の処置具挿通用口から注入することにより単数又は複数の挿入部側吸引兼処置具挿通チャンネルとユニバーサルコード側吸引チャンネルとにオゾンガスを流通させることができるものであり、更に、夫々のチャンネルを殺菌消毒した後のオゾンガスは保管庫の内に充満され内視鏡の外側を含むすべての部位を殺菌消毒するものである。
【０００８】
従って、本発明の目的は、洗浄後の内視鏡の内側及び外側を万遍なく、且つ、効率よく安全に殺菌消毒を行う方法を提供するものである。
【０００９】
【発明の実施の形態】
以下、本発明の内視鏡の殺菌消毒方法の実施の形態の図面によって具体的に説明する。
【００１０】
図１は本発明の内視鏡の殺菌消毒方法の実施の形態を説明するための内視鏡の断面説明図であり、図２は本発明の内視鏡の殺菌消毒方法の保管庫に懸架させた状態の実施の形態を説明するための斜視図である。
【００１１】
本発明は、内視鏡の殺菌消毒方法に関するものであり、更に詳細には、内視鏡１に内装された各チャンネルをオゾンガスを流通させて殺菌消毒すると共に、オゾンガスを内視鏡１を懸架させた保管庫１１内に排気させて殺菌消毒する方法に関するものであり、請求項１に記載の内視鏡の殺菌消毒方法は、可撓性を有しチューブ状の挿入部２と、該挿入部２の基端に配設された操作部３と、該操作部３から延設された可撓性を有しチューブ状のユニバーサルコード４と、該ユニバーサルコード４の先端に配設されたコネクター部５と、前記操作部３に設けた送気送水操作部３ａに連通させて前記挿入部２の先端に設けた送気送水ノズル２ａに夫々接続させた挿入部側送気チャンネル２ｂと挿入部側送水チャンネル２ｃと、前記送気送水操作部３ａに連通させて前記ユニバーサルコード４に内装されコネクター部５に延設されたユニバーサルコード側送気チャンネル４ａとユニバーサルコード側送水チャンネル４ｂと、前記操作部３に設けた吸引操作部３ｂに連通させて前記挿入部２の先端に延設させた単数又は複数の挿入部側吸引兼処置具挿通チャンネル２ｄと、該単数又は複数の挿入部側吸引兼処置具挿通チャンネル２ｄに連通させて挿入部２の胴周に開口させた単数又は複数の処置具挿通用口２ｅと、前記吸引操作部３ｂに連通させて前記ユニバーサルコード４に内装されコネクター部５に延設されたユニバーサルコード側吸引チャンネル４ｃとを備えた内視鏡１において、前記内視鏡１を洗浄した後に吸引操作部３ｂを単数又は複数の挿入部側吸引兼処置具挿通チャンネル２ｄとユニバーサルコード側吸引チャンネル４ｃとを連通状態にしてコネクター６で閉蓋し、前記送気送水操作部３ａを開口させてオゾンガスを注入すると共に単数又は複数の処置具挿通用口２ｅからオゾンガスを注入するものである。
【００１２】
更に、請求項２に記載の内視鏡の殺菌消毒方法は、請求項１に記載の内視鏡の殺菌消毒方法において、前記内視鏡１の操作部３を保管庫１１の上方に横設した懸架台１１ａにＵ字状に切欠させた複数の懸架部１１ｂを設けて夫々懸架させると共に、保管庫１１にオゾン生成装置とオゾン分解装置とを内装し、前記オゾン生成装置（図示しない）と前記送気送水操作部３ａと前記単数又は複数の処置具挿通用口２ｅとを夫々送気チューブ１２で接続してオゾンガス注入して殺菌消毒を行うものである。
【００１３】
即ち、本発明の内視鏡の殺菌消毒方法で殺菌消毒を施される実施の形態の内視鏡１は、図１に図示する如く、挿入部２と操作部３とユニバーサルコード４とコネクター部５とから構成されているものであり、殺菌消毒の前に予め洗浄をするもので、洗浄は公知の水、又は、洗浄液等によって超音波振動等を付与して機械的に、又は、人工的に手を加える等の手段によって丁寧に洗浄をするものである。
【００１４】
そして、挿入部２は可撓性を有したチューブ状のもので、例えば、先端には被写体映像を取り込むためのライトガイドに接続された観察部と、該観察部の近傍に空気と水とを自在に吹きかけるように送気送水ノズル２ａと、後述する単数又は複数の挿入部側吸引兼処置具挿通チャンネル２ｄの開口部とが夫々配設されているものである。
【００１５】
次いで、操作部３は挿入部２の基端を接続させるとともに、略直角方向に後述するユニバーサルコード４の基端を接続させており、上方には後述する送気送水操作部３ａと吸引操作部３ｂ等とを設けているものである。
【００１６】
次に、ユニバーサルコード４は操作部３に基端を接続させた可撓性を有したチューブ状のもので、先端には後述するコネクター部５を接続させているものである。
【００１７】
そして、コネクター部５はユニバーサルコード４の先端に配設されており、後述するユニバーサルコード側送気チャンネル４ａとユニバーサルコード側送水チャンネル４ｂとユニバーサルコード側吸引チャンネル４ｃとに接続させるための送気ポンプや送水ポンプ、光源装置等を接続するための夫々のコネクターを備えているものである。
【００１８】
更に、挿入部側送気チャンネル２ｂと挿入部側送水チャンネル２ｃと略平行状態で挿入部２の長手方向に内装されるもので、夫々の先端は挿入部２の先端に設けた送気送水ノズル２ａに接続させ、夫々の基端は操作部３に設けた送気送水操作部３ａに連通させているものである。
【００１９】
更には、ユニバーサルコード側送気チャンネル４ａとユニバーサルコード側送水チャンネル４ｂとはユニバーサルコード４の長手方向に平行状態で内装されており、基端は操作部３に設けた送気送水操作部３ａに連通させており、先端はコネクター部５に接続され開口しているものである。
【００２０】
そして、単数又は複数の挿入部側吸引兼処置具挿通チャンネル２ｄは基端を操作部３に設けた吸引操作部３ｂに連通させ挿入部２の長手方向に内装され、先端は挿入部２の先端に開口させているものであり、図１に図示する実施の形態では、挿入部側吸引兼処置具挿通チャンネル２ｄは単数のものであるが、平行状態で複数の挿入部側吸引兼処置具挿通チャンネル２ｄつまり副送水ライン等が挿入部２に内設された内視鏡１も存するものである。
【００２１】
次に、単数又は複数の処置具挿通用口２ｅは単数又は複数の挿入部側吸引兼処置具挿通チャンネル２ｄに連通させて挿入部２の胴周に開口させているもので、施術中に必要に応じて鉗子等の処置具を挿入させるものである。
【００２２】
更に、ユニバーサルコード側吸引チャンネル４ｃはユニバーサルコード４の長手方向に内装され基端を操作部３に設けた吸引操作部３ｂに連通させ、先端はコネクター部５に接続されて開口しているものである。
【００２３】
次いで、本発明の内視鏡の殺菌消毒方法は、先ず、操作部３に設けた吸引操作部３ｂの操作バルブを取り外し、単数又は複数の挿入部側吸引兼処置具挿通チャンネル２ｄとユニバーサルコード側吸引チャンネル４ｃとを図１に図示するように連通状態にしてコネクター６によって閉蓋するものである。
【００２４】
そして、操作部３に設けた送気送水操作部３ａの操作バルブを取り外し開口させてオゾンガスを注入するもので、挿入部側送気チャンネル２ｂと挿入部側送水チャンネル２ｃ、及び、接続させた送気送水ノズル２ａの内部にオゾンガスを流通させて殺菌消毒すると共に、ユニバーサルコード側送気チャンネル４ａとユニバーサルコード側送水チャンネル４ｂにもオゾンガスを流通して殺菌消毒するものである。
【００２５】
更に、同時に挿入部２の胴周に開口させている単数又は複数の処置具挿通用口２ｅにもオゾンガスを注入するもので、単数又は複数の挿入部側吸引兼処置具挿通チャンネル２ｄ、及び、ユニバーサルコード側吸引チャンネル４ｃの内部にオゾンガスを流通して殺菌消毒するものである。
【００２６】
前述のようにして内視鏡１を殺菌消毒することから内部の空洞の隅から隅までオゾンガスが行き渡ることからむら無く殺菌消毒を実施できるものである。
【００２７】
更には、保管庫１１は図２に図示する如く、上方に懸架台１１ａを横設して、該懸架台１１ａに切欠させたＵ字状に複数の懸架部１１ｂに内視鏡１の操作部３を載置するように懸架させるもので、チューブ状の挿入部２とユニバーサルコード４とは懸架部１１ｂの間に垂下させているものである。
【００２８】
更には、オゾン生成装置とオゾン分解装置とは保管庫１１に内装しており、オゾン生成装置で生成したオゾンガスを送気チューブ１２で接続することによって、送気送水操作部３ａと単数又は複数の処置具挿通用口２ｅとに送るもので、オゾンガスは送気送水操作部３ａと単数又は複数の処置具挿通用口２ｅとから流入して、挿入部側送気チャンネル２ｂと挿入部側送水チャンネル２ｃ、送気送水ノズル２ａ、及び、ユニバーサルコード側送気チャンネル４ａとユニバーサルコード側送水チャンネル４ｂを流通して夫々の端部の開口から保管庫１１内に排気させるものである。
【００２９】
そして、保管庫１１内は密閉状態に成っており、排気されたオゾンガスは内視鏡１の外側にも殺菌消毒を行うものであり、経時殺菌消毒が終了後には、オゾン分解装置を作動させてオゾンを分解して無害化するもので、内視鏡１は無菌状態で次に使用されるまで当該保管庫１１で保管されるものである。
【００３０】
尚、前記保管庫１１の側方や下方の余剰スペースには白衣類や小パーツ等を入れることも可能で、同時に殺菌消毒をすることを可能とするものである。
【００３１】
【発明の効果】
本発明の内視鏡の殺菌消毒方法は、洗浄後の内視鏡の吸引操作部を閉蓋してオゾンガスを送気送水操作部と単数又は複数の処置具挿通用口とからオゾンガスを注入するもので、送気送水操作部から注入することにより挿入部側送気チャンネルと挿入部側送水チャンネルとユニバーサルコード側送気チャンネルとユニバーサルコード側送水チャンネルとにオゾンガスを流通させることができ、単数又は複数の処置具挿通用口から注入することにより単数又は複数の挿入部側吸引兼処置具挿通チャンネルとユニバーサルコード側吸引チャンネルとにオゾンガスを流通させることができるものであり、更に、夫々のチャンネルを殺菌消毒した後のオゾンガスは保管庫の内に充満され内視鏡の外側を含むすべての部位を殺菌消毒するもので、殺菌消毒後はオゾン分解装置によりオゾンを無害化して、そのまま無菌状態の保管庫で保管するもので、画期的で実用性の高い発明である。
【図面の簡単な説明】
【図１】図１は本発明の内視鏡の殺菌消毒方法の実施の形態を説明するための内視鏡の断面説明図である。
【図２】図２は本発明の内視鏡の殺菌消毒方法の保管庫に懸架させた状態の実施の形態を説明するための斜視図である。
【符号の説明】
１      内視鏡
２      挿入部
２ａ    送気送水ノズル
２ｂ    挿入部側送気チャンネル
２ｃ    挿入部側送水チャンネル
２ｄ    挿入部側吸引兼処置具挿通チャンネル
２ｅ    処置具挿通用口
３      操作部
３ａ    送気送水操作部
３ｂ    吸引操作部
４      ユニバーサルコード
４ａ    ユニバーサルコード側送気チャンネル
４ｂ    ユニバーサルコード側送水チャンネル
４ｃ    ユニバーサルコード側吸引チャンネル
５      コネクター部
６      コネクター
１１    保管庫
１１ａ  懸架台
１１ｂ  懸架部
１２    送気チューブ
【図１】
2004267715.tif 000003
【図２】
2004267715.tif 000004